(57)【特許請求の範囲】
【請求項１】
医用画像に対する読影結果を記録した読影レポートを格納する格納手段と、
操作手段と、
前記操作手段によって入力された患者識別情報により識別される患者の複数の読影レポートを前記格納手段から検索する検索手段と、
前記検索された各読影レポートの読影結果から、医用画像の種類を表す画像種類情報、及び、病名又は検査名を表す病名／検査名情報の双方を含む文字列情報を抽出する抽出手段と、
前記抽出された文字列情報における前記抽出された病名／検査名情報に、この病名／検査名情報が抽出された読影レポートの読影結果を関連付ける関連付け手段と、
表示手段と、
前記抽出された文字列情報における前記病名／検査名情報を各画像種類情報ごとに一覧表示させるとともに、前記一覧表示された病名／検査名情報が前記操作手段により指定されたことに対応し、この指定された病名／検査名情報に前記関連付けられた読影結果を前記表示手段に表示させる制御手段と、
を備えることを特徴とする医用情報参照システム。
【請求項２】
前記抽出手段は、前記検索された各読影レポートの読影結果から、複数の異なる前記文字列情報を抽出するとともに、各文字列情報の抽出個数をカウントし、
前記制御手段は、前記抽出された複数の異なる文字列情報を、前記カウントされた抽出個数が多い順序で前記表示手段に表示させる、
ことを特徴とする請求項１に記載の医用情報参照システム。
【請求項３】
前記制御手段は、前記抽出された複数の異なる文字列情報とともに、各文字列情報の抽出個数を前記表示手段に表示させることを特徴とする請求項２に記載の医用情報参照システム。
【請求項４】
前記格納手段に格納される読影レポートには、医用画像の作成日を示す作成日情報が含まれており、
前記抽出手段は、前記検索された各読影レポートから前記作成日情報を抽出し、
前記制御手段は、前記操作手段により指定された文字列情報に対して複数の読影レポートの読影結果のそれぞれが前記関連付けられている場合に、前記複数の読影レポートの読影結果を、前記複数の読影レポートのそれぞれから前記抽出された作成日情報に基づく順序で前記表示手段に表示させる、
ことを特徴とする請求項１に記載の医用情報参照システム。
【請求項５】
前記抽出手段は、
医学用語をあらかじめ記録した記録手段と、
前記読影レポートに含まれる文字列が前記記録された医学用語に相当するか否か判断する判断手段と、
を備え、前記医学用語に相当すると前記判断された文字列を前記文字列情報として抽出することを特徴とする請求項１ないし請求項４のいずれか一項に記載の医用情報参照システム。
【請求項６】
医用画像に対する読影結果を記録した読影レポートを格納するデータベースにアクセス可能な医用情報参照装置であって、
操作手段と、
前記操作手段によって入力された患者識別情報により識別される患者の複数の読影レポートを前記格納手段から検索する検索手段と、
前記検索された各読影レポートの読影結果から、医用画像の種類を表す画像種類情報、及び、病名又は検査名を表す病名／検査名情報の双方を含む文字列情報を抽出する抽出手段と、
前記抽出された文字列情報における前記抽出された病名／検査名情報に、この病名／検査名情報が抽出された読影レポートの読影結果を関連付ける関連付け手段と、
表示手段と、
前記抽出された文字列情報における前記病名／検査名情報を各画像種類情報ごとに一覧表示させるとともに、前記一覧表示された病名／検査名情報が前記操作手段により指定されたことに対応し、この指定された病名／検査名情報に前記関連付けられた読影結果を前記表示手段に表示させる制御手段と、
を備えることを特徴とする医用情報参照装置。
【請求項７】
操作手段と表示手段とを有し、医用画像に対する読影結果を記録した読影レポートを格納するデータベースにアクセス可能なコンピュータに、
前記操作手段によって入力された患者識別情報により識別される患者の複数の読影レポートを前記データベースから検索する機能と、
前記検索された各読影レポートの読影結果から、医用画像の種類を表す画像種類情報、及び、病名又は検査名を表す病名／検査名情報の双方を含む文字列情報を抽出する機能と、
前記抽出された文字列情報における前記抽出された病名／検査名情報に、この病名／検査名情報が抽出された読影レポートの読影結果を関連付ける機能と、
前記表示手段に前記抽出された文字列情報における前記病名／検査名情報を各画像種類情報ごとに一覧表示させる機能と、
前記一覧表示された病名／検査名情報が前記操作手段により指定されたことに対応し、この指定された病名／検査名情報に前記関連付けられた読影結果を前記表示手段に表示させる機能と、
を実行させることを特徴とする医用情報参照プログラム。
【請求項８】
前記制御手段は、前記指定された病名／検査名情報に前記関連付けられた前記読影結果を、順に一画面上に配列表示させることを特徴とする請求項１ないし請求項５のいずれか一項に記載の医用情報参照システム。
【請求項９】
前記制御手段は、前記指定された病名／検査名情報に前記関連付けられた前記読影結果を、順に一画面上に配列表示させることを特徴とする請求項６に記載の医用情報参照装置。
【請求項１０】
前記読影結果を前記表示手段に表示させる機能が、さらに前記指定された病名／検査名情報に前記関連付けられた前記読影結果を、順に一画面上に配列表示させることを特徴とする請求項７に記載の医用情報参照プログラム。
【発明の詳細な説明】
【技術分野】
【０００１】
本発明は、医用情報参照システム、医用情報参照装置及び医用情報参照プログラムに関し、特に、医用画像診断装置により得られた画像に対する医師の所見結果や診断結果を参照するために用いられる医用情報参照システム、医用情報参照装置及び医用情報参照プログラムに関するものである。
【背景技術】
【０００２】
近年、医用画像診断装置により得られた画像（医用画像）を電子データとして患者単位で保存し、適宜に参照可能とする技術が進展を見せている。特に、医用画像に対する医師の読影結果（所見結果や診断結果）を記録したいわゆる「読影レポート」を電子化し、参照者（読影医等）の要求に応じてディスプレイに表示させたり印刷したりする医用情報参照システムに注目が集まっている。
【０００３】
医用画像診断装置には、Ｘ線診断装置、Ｘ線ＣＴ装置、ＭＲＩ装置、核医学診断装置、超音波診断装置など多くの種類がある。読影レポートを作成する際には、当該患者の過去の読影レポートを参照して所見や診断の経過を把握し、今回の読影において考慮すべき点などを確認するのが一般的である。当該技術によれば、上記のような様々な装置による医用画像の読影レポートを一括管理できることから、読影レポートの参照作業及び作成作業を効率的に行うことが可能となる。
【０００４】
従来の医用情報参照システムとしては、参照者による読影レポート参照作業を支援するための機能として、以下のような経過レポート表示機能や所見等参照機能などを備えたものが知られている。
【０００５】
経過レポート表示機能は、当該患者に関する過去の読影レポートを、時系列順に単一の画面上に表示させる機能である。参照者は、マウス等を操作して画面をスクロールさせて所望の読影レポートを表示させる。なお、読影レポートの表示順序は、時系列を遡る順序（つまり、前回、前々回、・・・、初回）とするのが一般的である。
【０００６】
一方、所見等参照機能は、当該患者に関する過去の読影レポートのリストを一覧表示し、そのリストから選択された読影レポートの内容（所見、診断、画像等）を表示させる機能である。
【０００７】
下記の特許文献１、２は、従来の医用情報参照システムの一例を開示している。特許文献１に記載のシステムは、保存されている画像のうち、前回のレポート作成時に使用された画像（使用頻度の高い画像）を優先的にリスト表示させることにより、画像の検索作業の容易化を図っている。
【０００８】
また、特許文献２に記載のシステムは、時系列表示画面（医用画像に対応付けられたアイコンイメージと診療情報とを受診日時毎に表示する画面）内の下部に、所望のセルの診療情報を詳細表示させることにより、過去における処方や病歴の概観の容易化を図るものである。
【０００９】
【特許文献１】特開平４−２１５７３８号公報
【特許文献２】特許第３５３０４２４号公報
【発明の開示】
【発明が解決しようとする課題】
【００１０】
しかしながら、従来の医用情報参照システムについては、次のような様々な問題点が指摘されていた。
【００１１】
まず、従来のシステムでは、過去の読影レポートの所見結果や診断結果の内容を参照するには、その読影レポート自体を表示させる必要があった。そのため、所望の内容（たとえば疾患名や検査名など）に関する情報のみを参照したい場合や、過去の読影における重要事項のみを参照したい場合であっても、各読影レポートを表示させてその内容を確認し、必要な情報を取捨選択しなければならなかった。それにより、参照作業が長時間化する、更には重要事項を容易に把握できない、などの問題が生じていた。
【００１２】
経過レポート表示機能を使用する場合でも、画面をスクロールさせながら各読影レポートの記載内容を確認しつつ所望の読影レポートを見つける必要があるため、同様の問題が生じる。
【００１３】
また、従来のシステムでは、複数の読影レポートの所見結果や診断結果の間の関連性を把握するのが困難であった。たとえば或る疾患や検査に関する所見等を参照したい場合、各読影レポートを表示させ、所望の疾患等に関する情報をその記載内容から収集する必要があった。したがって、作業に時間が掛かる上、情報の見落としが生じる可能性もある。この読影レポート間の関連性に関する問題は、経過レポート機能を用いても、あるいは所見等参照機能を用いても解消されない。
【００１４】
従来のシステムにおける以上のような問題点は、緊急読影時など作業に時間を掛けられない場合や、診療科が変わった場合など当該患者に対し初めて読影を行う場合などに、特に大きな不都合を生じる。
【００１５】
本発明は、このような事情に鑑みてなされたもので、過去の読影レポートの参照を効率的に行うことが可能な医用情報参照システム、医用情報参照装置及び医用情報参照プログラムを提供することを目的とする。
【００１６】
また、本発明は、複数の読影レポートの間の関連性を容易に把握することが可能な医用情報参照システム、医用情報参照装置及び医用情報参照プログラムを提供することを他の目的とする。
【課題を解決するための手段】
【００１７】
上記目的を達成するために、請求項１に記載の発明は医用画像に対する読影結果を記録した読影レポートを格納する格納手段と、操作手段と、前記操作手段によって入力された患者識別情報により識別される患者の複数の読影レポートを前記格納手段から検索する検索手段と、前記検索された各読影レポートの読影結果から、医用画像の種類を表す画像種類情報、及び、病名又は検査名を表す病名／検査名情報の双方を含む文字列情報を抽出する抽出手段と、前記抽出された文字列情報における前記抽出された病名／検査名情報に、この病名／検査名情報が抽出された読影レポートの読影結果を関連付ける関連付け手段と、表示手段と、前記抽出された文字列情報における前記病名／検査名情報を各画像種類情報ごとに一覧表示させるとともに、前記一覧表示された病名／検査名情報が前記操作手段により指定されたことに対応し、この指定された病名／検査名情報に前記関連付けられた読影結果を前記表示手段に表示させる制御手段と、を備えることを特徴とする医用情報参照システムである。
【００１８】
また、請求項２に記載の発明は、請求項１に記載の医用情報参照システムであって、前記抽出手段は、前記検索された各読影レポートの読影結果から、複数の異なる前記文字列情報を抽出するとともに、各文字列情報の抽出個数をカウントし、前記制御手段は、前記抽出された複数の異なる文字列情報を、前記カウントされた抽出個数が多い順序で前記表示手段に表示させる、ことを特徴とする。
【００１９】
また、請求項３に記載の発明は、請求項２に記載の医用情報参照システムであって、前記制御手段は、前記抽出された複数の異なる文字列情報とともに、各文字列情報の抽出個数を前記表示手段に表示させることを特徴とする。
【００２０】
また、請求項４に記載の発明は、請求項１に記載の医用情報参照システムであって、前記格納手段に格納される読影レポートには、医用画像の作成日を示す作成日情報が含まれており、前記抽出手段は、前記検索された各読影レポートから前記作成日情報を抽出し、前記制御手段は、前記操作手段により指定された文字列情報に対して複数の読影レポートの読影結果のそれぞれが前記関連付けられている場合に、前記複数の読影レポートの読影結果を、前記複数の読影レポートのそれぞれから前記抽出された作成日情報に基づく順序で前記表示手段に表示させる、ことを特徴とする。
【００２１】
また、請求項５に記載の発明は、請求項１ないし請求項４のいずれか一項に記載の医用情報参照システムであって、前記抽出手段は、医学用語をあらかじめ記録した記録手段と、前記読影レポートに含まれる文字列が前記記録された医学用語に相当するか否か判断する判断手段と、を備え、前記医学用語に相当すると前記判断された文字列を前記文字列情報として抽出することを特徴とする。
【００２２】
また、請求項６に記載の発明は、医用画像に対する読影結果を記録した読影レポートを格納するデータベースにアクセス可能な医用情報参照装置であって、操作手段と、前記操作手段によって入力された患者識別情報により識別される患者の複数の読影レポートを前記格納手段から検索する検索手段と、前記検索された各読影レポートの読影結果から、医用画像の種類を表す画像種類情報、及び、病名又は検査名を表す病名／検査名情報の双方を含む文字列情報を抽出する抽出手段と、前記抽出された文字列情報における前記抽出された病名／検査名情報に、この病名／検査名情報が抽出された読影レポートの読影結果を関連付ける関連付け手段と、表示手段と、前記抽出された文字列情報における前記病名／検査名情報を各画像種類情報ごとに一覧表示させるとともに、前記一覧表示された病名／検査名情報が前記操作手段により指定されたことに対応し、この指定された病名／検査名情報に前記関連付けられた読影結果を前記表示手段に表示させる制御手段と、を備えることを特徴とする医用情報参照装置である。
【００２３】
また、請求項７に記載の発明は、操作手段と表示手段とを有し、医用画像に対する読影結果を記録した読影レポートを格納するデータベースにアクセス可能なコンピュータに、
前記操作手段によって入力された患者識別情報により識別される患者の複数の読影レポートを前記データベースから検索する機能と、前記検索された各読影レポートの読影結果から、医用画像の種類を表す画像種類情報、及び、病名又は検査名を表す病名／検査名情報の双方を含む文字列情報を抽出する機能と、前記抽出された文字列情報における前記抽出された病名／検査名情報に、この病名／検査名情報が抽出された読影レポートの読影結果を関連付ける機能と、前記表示手段に前記抽出された文字列情報における前記病名／検査名情報を各画像種類情報ごとに一覧表示させる機能と、前記一覧表示された病名／検査名情報が前記操作手段により指定されたことに対応し、この指定された病名／検査名情報に前記関連付けられた読影結果を前記表示手段に表示させる機能と、を実行させることを特徴とする医用情報参照プログラムである。
【００２４】
また、請求項８に記載の発明は、請求項１ないし請求項５のいずれか一項に記載の医用情報参照システムであって、前記制御手段は、前記指定された病名／検査名情報に前記関連付けられた前記読影結果を、順に一画面上に配列表示させることを特徴とする。
また請求項９に記載の発明は、請求項６に記載の医用情報参照装置であって、前記制御手段は、前記指定された病名／検査名情報に前記関連付けられた前記読影結果を、順に一画面上に配列表示させることを特徴とする。
また請求項１０に記載の発明は、請求項７に記載の医用情報参照プログラムであって、前記読影結果を前記表示手段に表示させる機能が、さらに前記指定された病名／検査名情報に前記関連付けられた前記読影結果を、順に一画面上に配列表示させることを特徴とする
【発明の効果】
【００２５】
本発明によれば、読影レポート参照者が患者識別情報を入力すると、その患者識別情報により識別される患者の読影レポートが検索され、その検索された読影レポートから所定の文字列情報（画像種類情報、病名／検査名情報等）が抽出される。そして、抽出された文字列情報における病名／検査名情報に対して、その抽出元である読影レポートの読影結果が関連付けられるとともに、抽出された文字列情報における病名／検査名情報が各画像種類情報ごとに表示手段に一覧表示される。更に、この一覧表示された病名／検査名情報を操作手段によって指定すると、その指定された病名／検査名情報に関連付けられた読影レポートの読影結果が表示される。
【００２６】
読影レポート参照者は、指定した文字列情報に関連付けられた読影結果の表示内容を参照することにより、当該患者に関する過去の読影レポートをそれぞれ表示させてその内容を確認しなくても、過去の読影結果の概要を把握できる。特に、指定した文字列情報に対応する読影結果が選択的に表示されることから、所望の読影結果を容易に閲覧することができる。したがって、本発明によれば、過去の読影レポートの参照作業を効率的に行うことが可能となる。
【００２７】
また、操作手段により指定された文字列情報に対して複数の読影レポートの読影結果がそれぞれ関連付けられている場合、これら複数の読影レポートの読影結果が表示されることとなる。したがって、所望の文字列情報に関する記載を含む複数の読影結果の間の関連性を容易に把握することが可能となる。特に、請求項４に記載の発明においては、医用画像の作成日に基づく順序で複数の読影結果が表示されるので、読影結果の経過を容易に把握することができる。
【発明を実施するための最良の形態】
【００２８】
本発明に係る医用情報参照システム、医用情報参照装置及び医用情報参照プログラムの好適な実施形態の一例について、図面を参照しながら詳細に説明する。
【００２９】
［システム構成］
図１は、本実施形態に係る医用情報参照システムの全体構成の一例を表している。この医用情報参照システムは、病院内に設置された院内ＬＡＮ（Ｌｏｃａｌ  Ａｒｅａ  Ｎｅｔｗｏｒｋ）Ｌを介して通信可能に接続された各種の装置を含んで構成されている。具体的には、以下のような装置が本実施形態のシステムを構成している。
【００３０】
読影室内には、読影医が読影レポートを作成するための読影レポート作成装置１と、医用画像を表示する医用画像ビューア装置２とが設けられている。読影レポート作成装置１は、ＬＡＮＬを通じて読影レポートデータベース４にアクセス可能とされている。また、医用画像ビューア装置２は、ＬＡＮＬを通じて医用画像データベース１１０にアクセス可能とされている。
【００３１】
読影医は、医用画像ビューア装置２に所望の医用画像を表示させて読影を行い、その結果（所見結果や診断結果）を読影レポート作成装置１を用いて読影レポートに記載する。その際、読影医は、当該患者の過去の読影レポートを読影レポート作成装置１に表示させ、それを適宜に参照しながら新たな読影レポートの作成を行うことができるようになっている。
【００３２】
読影レポート作成装置１により作成された読影レポートは、院内ＬＡＮＬを通じて読影レポートデータベース４に格納される。各読影レポートは、患者ＩＤ等の患者識別情報に関連付けられて記憶されている。この読影レポートデータベース４は、たとえばハードディスクドライブ等の大容量記憶装置を含んで構成される。
【００３３】
診療科内には、読影レポートデータベース４に格納されている読影レポートを閲覧するための読影レポート表示装置３が設置されている。この読影レポート表示装置３は、当該診療科の医師等により使用されるコンピュータ端末であり、ＬＡＮＬを通じて読影レポートデータベース４及び医用画像データベース１１０にアクセス可能とされている。
【００３４】
院内ＬＡＮＬには、Ｘ線ＣＴ装置１０１、磁気共鳴イメージング装置（ＭＲＩ装置）１０２、Ｘ線診断装置１０３、核医学診断装置（ＳＰＥＣＴ、ＰＥＴ等）１０４を始め、超音波診断装置などの任意の医用画像診断装置１００が接続されている。これらの医用画像診断装置１００の構成や機能は既知であるので、ここではその詳細についての説明は省略する。
【００３５】
医用画像診断装置１００により作成された医用画像は、医用画像データベース１１０に格納される。この医用画像データベース１１０は、たとえばハードディスクドライブ等の大容量記憶装置を含んで構成されている。
【００３６】
なお、本発明に係る「医用情報参照システム」は、図１のシステム構成における読影レポート作成装置１（あるいは読影レポート表示装置３）と読影レポートデータベース４とを少なくとも備えるものである。読影レポートデータベース４は、本発明の「格納手段」及び「データベース」の一例に相当する。
【００３７】
また、読影レポート作成装置１及び読影レポート表示装置３は、本発明の「医用情報参照装置」の一例にそれぞれ相当する。ここで、読影レポート作成装置１及び読影レポート表示装置３は、双方ともに、読影レポートを表示させるための同様の機能を有するが、当該機能は、本発明に特徴的な構成により実現されるものである。そこで、以下において、読影レポート作成装置１についてのみ詳細に説明し、読影レポート表示装置３の詳細説明については省略するものとする。
【００３８】
［読影レポート作成装置］
本発明に係る医用情報参照システムの主要的構成をなす読影レポート作成装置１について詳しく説明する。図２のブロック図は、読影レポート作成装置１の機能的構成の一例を表し、図３のブロック図は、そのハードウェア構成の一例を表す。
【００３９】
〔ハードウェア構成〕
まず、図３を参照しつつ、読影レポート作成装置１のハードウェア構成を説明する。この読影レポート作成装置１は、従来からのコンピュータと同様のハードウェア構成を備え、図３に示すように、ＣＰＵ２０（等のマイクロプロセッサ）、ＲＡＭ２１、ＲＯＭ２２、ハードディスクドライブ（ＨＤＤ）２３、ディスプレイ２４、キーボード２５、マウス２６及び通信インターフェイス２７を具備している。これらは、バス２８を介して接続されている。
【００４０】
ＣＰＵ２０は、ハードディスクドライブ２３に格納された医用情報参照プログラム２３ｂをＲＡＭ２１上に展開することにより、後述する本発明に特徴的な動作を実行する。また、ＣＰＵ２０は、各種の演算処理を行うとともに、装置各部の制御、たとえばディスプレイ２４による表示処理の制御、キーボード２５やマウス２６から入力される信号に対応する制御、通信インターフェイス２７による通信処理の制御などを実行する。
【００４１】
ハードディスクドライブ２３には、この医用情報参照プログラム２３ｂとともに、医学辞書ファイル２３ａが格納されている。医学辞書ファイル２３には、各種の医学用語が記録されている。この医学辞書ファイル２３ａは、読影レポートの作成時に医学用語を入力するときの漢字変換支援用辞書（医学辞書）として用いられる。このような医学辞書は従来から使用されており、たとえば特開２００３−２２００３５号公報などに記載されている。
【００４２】
医学辞書ファイル２３ａに記憶されている医学用語としては、たとえば、画像種類情報や病名情報や検査名情報などがある。なお、病名情報と検査名情報とをまとめて病名／検査名情報と称することがある。
【００４３】
画像種類情報は、医用画像の種類を表す情報であり、医用画像診断装置１００の名称（略称などでもよい。）を示す情報である。たとえば、Ｘ線ＣＴ装置１０１により作成されたＣＴ画像の画像種類情報としては「ＣＴ」、ＭＲＩ装置１０２により作成されたＭＲＩ画像の画像種類情報としては「ＭＲＩ」、Ｘ線診断装置１０３により作成されたＸ線画像の画像種類情報としては「Ｘ線」、核医学診断装置１０４により作成されたＳＰＥＣＴ画像やＰＥＴ画像の画像種類情報としては「ＳＰＥＣＴ」や「ＰＥＴ」、図示しない超音波診断装置により作成された超音波画像の画像種類情報としては「エコー」などの用語が使用される。
【００４４】
病名情報は、医用画像の所見により診断される各種の病名を表す情報である（その他の病名を含んでいてもよい。）。たとえば、「食道癌」、「食道潰瘍」、「胃癌」、「胃潰瘍」、「十二指腸癌」、「十二指腸潰瘍」、「大腸癌」、「大腸ポリープ」、「脳動脈瘤」、「尿管結石」、「胆石」、「総胆管結石」などがある。
【００４５】
なお、たとえば漢字の「癌」とともに片仮名の「ガン」も記録しておくことで、読影レポート作成者ごとの記載の癖（或る医学用語について、漢字で記載する癖、片仮名で記載する癖、平仮名で記載する癖）に対応させることが望ましい。また、医学用語の英語名や独語名などを記録するようにしてもよい。これらは、画像種類情報や検査名情報など他の医学用語についても同様である。
【００４６】
検査名情報は、医用画像診断装置１００を用いて行う各種の検査の名称を表す情報である（その他の検査名を含んでいてもよい。）。たとえば、食道癌、食道潰瘍、胃癌、胃潰瘍、十二指腸癌、十二指腸潰瘍等を発見するための「上部消化管造影検査」や、大腸癌、大腸ポリープ等を発見するための「注腸検査」や、脳動脈瘤等を発見するための「頭部ＭＲＩアンギオ検査」や、尿管結石等を発見するための「静注尿路造影検査」や、胆石、総胆管結石等を発見するための「ＤＩＣ検査（胆嚢造影検査）」などがある。
【００４７】
ディスプレイ２４は、ＬＣＤやＣＲＴ等の任意の表示デバイスである。キーボード２５は、文字や数字等を入力するための入力デバイスとして用いられる。マウス２６は、ディスプレイ２４の表示画面に対する各種入力操作を行うための操作デバイスとして用いられる。これらディスプレイ２４、キーボード２５及びマウス２６は、ユーザインターフェイスＵＩとして使用される。このユーザインターフェイスＵＩは、本発明の「操作手段」の一例に相当する（詳しくは後述する。）通信インターフェイス２７は、院内ＬＡＮＬに接続するためのネットワークアダプタである。
【００４８】
〔機能的構成〕
次に、読影レポート作成装置１の機能的構成について、図２を参照しつつ説明する。この読影レポート作成装置１は、患者情報入力部１１、読影レポート検索部１２、文字列抽出部１３、リンク形成部１４、表示制御部１５、表示部１６及び操作部１７を備えている。以下、読影レポートの表示態様及びそれに含まれる情報に関する説明に続いて、読影レポート作成装置１の各部についてそれぞれ説明する。
【００４９】
（読影レポートについて）
読影レポートデータベース４に格納された読影レポートＲについて説明する。図４は、読影レポートＲを参照するための表示画面（読影レポート参照画面）の一例を示す。同図に示す読影レポート参照画面１０００には、履歴表示部１０００Ａと、読影レポートＲが表示される読影レポート表示部１０００Ｂとが設けられている。
【００５０】
履歴表示部１０００Ａには、当該患者について過去に作成された読影レポートの履歴が一覧表示される。図４のケースでは、３つの履歴１００１、１００２、１００３が一覧表示されている。各履歴１００１、１００２、１００３には、読影状況を示す情報と、医用画像の種類（種別）を示す情報と、診断対象部位を示す情報と、依頼科を示す情報と、検査実施日（医用画像の作成日）を示す情報と、依頼医師を示す情報と、読影レポートの登録日を示す情報とが記載されている。
【００５１】
読影レポート参照者（読影レポート作成者、読影医）は、所定の操作を行い、履歴の一つを選択する。たとえば、マウス２６を操作して所望の履歴をクリックすると、ＣＰＵ２０の制御により、その履歴に対応する読影レポートが読影レポート表示部１０００Ｂに表示される。図４は、第３番目の履歴１００３に対応する読影レポートが表示されている状態を表している。
【００５２】
読影レポート表示部１０００Ｂには、検査に関する情報（検査情報）を表示する検査情報表示部１０１０と、所見結果を表示する所見表示部１０２０と、診断結果を表示する診断表示部１０３０と、読影の対象となった医用画像を表示する画像表示部１０４０とが設けられている。
【００５３】
検査情報表示部１０１０には、検査実施日（医用画像の作成日）と、画像表示部１０４０に表示された医用画像の種類（種別）とが検査情報として表示される。図４においては、検査実施日として２００４年５月７日が表示され、医用画像の種類としてＣＴが表示されている。なお、医用画像の種類の項には、前述のように、ＭＲＩ、Ｘ線、ＳＰＥＣＴ、ＰＥＴ、エコーなどと表示される。
【００５４】
所見表示部１０２０には、画像表示部１０４０に表示された医用画像に対する所見の結果とともに、患者を特定するコメントなどが表示される。診断表示部１０３０には、画像表示部１０４０に表示された医用画像やその所見結果に基づく診断の結果とともに、患者を特定するコメントなどが表示される。
【００５５】
（患者情報入力部）
患者情報入力部１１は、患者識別情報を入力するための本発明の「操作手段」の一例に相当し、ユーザインターフェイスＵＩ（特にキーボード２５）を含んで構成される。患者識別情報は、各患者を識別するための情報である。ここでは、当該病院において各患者ごとに付与される患者ＩＤを使用する。なお、患者の氏名などを用いることも想定されるが、同姓同名の患者がいる場合などに混乱を来すため、上記患者ＩＤを使用することが望ましい。読影レポート作成者は、ディスプレイ２４に所定の入力画面を表示させ、キーボード２５を操作して所望の患者の患者ＩＤを入力する。
【００５６】
（読影レポート検索部）
読影レポート検索部１２は、本発明の「検索手段」の一例に相当し、医用情報参照プログラム２３ｂを実行するＣＰＵ２０と、通信インターフェイス２７とを含んで構成される。読影レポート検索部１２は、入力された患者識別情報を検索条件として読影レポートデータベース４から読影レポートＲを検索する。すなわち、入力された患者識別情報によって識別される患者について過去に作成された読影レポートＲを検索する。
【００５７】
（文字列抽出部）
文字列抽出部１３は、検索された読影レポートＲから所定の文字列情報を抽出する本発明の「抽出手段」の一例に相当し、医用情報参照プログラム２３ｂを実行するＣＰＵ２０と、医学辞書ファイル２３ａを格納するハードディスクドライブ２３とを含んで構成される。この文字列抽出手段１３には、文字列判断部１３ａと医学用語記録部１３ｂとが設けられている。
【００５８】
なお、「文字列情報」とは、一般に、日本語や英語等の各種言語の表記に用いられる文字（平仮名、片仮名、漢字、アルファベット、数字等）を１つ以上配列して形成される文字列からなる情報を意味する。ここでは、特に、読影レポートＲの記載内容（検査情報、所見結果、診断結果等）に含まれる文字列からなる情報（医用画像の作成日、医用画像の種類、画像種類情報、病名・検査名情報など）を意味している。
【００５９】
医学用語記録部１３ｂは、医学用語をあらかじめ記録した本発明の「記録手段」の一例に相当する。記録される医学用語としては、前述した画像種類情報や病名／検査名情報などがある。医学用語記録部１３ｂは、医学辞書ファイル２３ａを格納するハードディスクドライブ２３により構成される。なお、医学用語の記録先は、ハードディスクドライブ２３に限定されるものではなく、たとえばＲＯＭ等の不揮発性記憶装置や、ＣＤ−ＲＯＭやＤＶＤ−ＲＯＭ等のメディアであってもよい（後者の場合、当該メディアのドライブ装置が必要である。）。
【００６０】
文字列判断部１３ａは、本発明の「判断手段」の一例に相当する。この文字列判断部１３ａは、読影レポートＲの記載内容を解析して文字列に分割し、各文字列が医学用語記録部１３ｂに記録されているか（つまり、その文字列が医学辞書ファイル２３ａに含まれているか）判断する。文字列抽出部１３は、医学用語記録部１３ｂに記録されていると判断された文字列のみを読影レポートＲから選択的に抽出する。
【００６１】
文字列抽出部１３は、抽出された各文字列情報について、その抽出個数をカウントする。抽出個数のカウント方法には、たとえば次の２つの方法がある。第１の抽出個数カウント方法は、その文字列情報が抽出された読影レポートの個数をカウントする方法である。また、第２の抽出個数カウント方法は、その文字列情報が抽出された累積回数をカウントする方法である。各文字列の抽出個数のカウント結果は、ＲＡＭ２１やハードディスクドライブ２３に保存される。
【００６２】
（リンク形成部）
リンク形成部１４は、抽出された文字列情報に対して、その文字列情報が抽出された読影レポートＲの読影結果（所見結果、診断結果）を関連付ける本発明の「関連付け手段」の一例に相当する。このリンク形成部１４は、医用情報参照プログラム２３ｂを実行するＣＰＵ２０を含んで構成される。
【００６３】
リンク形成部１４は、たとえば、文字列情報の抽出元である読影レポートＲの読影結果の、読影レポートデータベース４における格納位置情報（ディレクトリ）を、当該文字列情報に埋め込むことにより、換言すれば、文字列情報に対して読影レポートＲをリンクさせることにより、その読影レポートＲを文字列情報に関連付ける。
【００６４】
なお、関連付け手段による関連付け処理は、抽出された文字列情報と、その抽出元である読影レポートＲの読影レポートのディレクトリとを関連付けるテーブル情報を作成するなどして行うことも可能である。一般に、この関連付け処理は、抽出された文字列情報に対して、その抽出元の読影レポートＲの読影結果を関連付けるものであれば、その処理態様は任意である。
【００６５】
（表示部）
表示部１６は、文字列抽出部１３により抽出された文字列情報を表示する本発明の「表示手段」の一例に相当し、図３のディスプレイ２４によって構成される。なお、抽出された文字列情報の表示態様については、後述の表示制御部１５の項において説明することとする。
【００６６】
（操作部）
操作部１７は、表示部１６に表示された文字列情報を指定するための本発明の「操作手段」の一例に相当し、ユーザインターフェイスＵＩ（特にマウス２６）を含んで構成される。文字列情報の指定操作は、たとえば所望の文字列情報をマウス２６でクリックすることにより行う。
【００６７】
（表示制御部）
表示制御部１５は、本発明の「制御手段」の一例に相当し、医用情報参照プログラム２３ｂを実行するＣＰＵ２０と、通信インターフェイス２７とを含んで構成される。表示部１６に表示された文字列情報のいずれかがマウス２６でクリックされると、表示制御部１５は、その文字列情報に関連付けられた読影レポートＲの読影結果（図４の所見表示部１０２０及び／又は診断表示部１０３０の記載内容。つまり所見結果及び／又は診断結果）、すなわち当該文字列情報との間にリンクが形成された読影レポートＲの読影結果を読影レポートデータベース４から選択取得して、表示部１６に表示させる。
【００６８】
図４に示したように、読影レポートＲの履歴表示部１０００Ａには、医用画像の作成日を示す情報（作成日情報と呼ぶ。）が記載されている。この作成日情報は、前述したように、文字列抽出部１３によって抽出される。表示制御部１５は、複数の読影レポートが検索された場合に、各読影レポートから抽出された作成日情報を参照し、複数の読影レポートの読影結果をその作成日情報に基づく順序で表示部１６に表示させる。
【００６９】
ここで、「作成日情報に基づく順序で表示させる」とは、次の表示態様のいずれかを意味する。第１に、複数の読影レポートの読影結果を作成日の古いものから順に表示させることができる。たとえば、３つの読影レポートＲ１、Ｒ２、Ｒ３が検索され、それぞれの作成日情報に示す作成日が２００５年４月１日、２００５年５月１日、２００５年６月１日である場合、表示制御部１５は、抽出された作成日情報を参照し、医用画像の作成日を古い順に配列する。本例では、読影レポートＲ１が最も古く、次が読影レポートＲ２であり、最も新しいものが読影レポートＲ３である。そして、表示制御部１５は、これら読影レポートＲ１〜Ｒ３の読影結果（所見結果、診断結果）を読影レポートＲ１、Ｒ２、Ｒ３の順序で表示させる。
【００７０】
第２に、複数の読影レポートの読影結果を作成日の新しいものから順に表示させることができる。たとえば上記例においては、同様の制御により、読影レポートＲ３、Ｒ２、Ｒ１の順序で表示されることとなる。
【００７１】
これら複数の読影結果は単一の画面に上記の順序で配列表示され、マウス２６等の操作によって画面をスクロールさせることにより所望の読影結果を閲覧できるようになっている。なお、マウス２６等の操作によって複数の読影結果を一つずつ上記順序で切り換え表示させることもできる。また、複数の読影結果の作成日情報に基づく表示順序（上記の第１の表示順序及び第２の表示順序）は、たとえばユーザインターフェイスＵＩにより、必要に応じて切り換えられるようになっている。
【００７２】
表示制御部１５は、文字列抽出部１３により抽出された文字列情報の表示部１６への表示処理（表示部１６の説明において前述した。）の制御も行う。以下、文字列情報の表示態様の一例について説明する。
【００７３】
文字列抽出部１３は、前述のように、各文字列情報の抽出個数をカウントするようになっている。表示制御部１５は、このカウント結果を文字列情報とともに表示部１６に表示させる。また、抽出された文字列情報が複数ある場合には、抽出個数を比較することにより、それら複数の文字列情報を抽出個数が多い順に配列して表示させる。なお、抽出個数が同じ文字列情報が複数ある場合には、たとえば５０音順やアルファベット順などの任意の順序でそれら文字列情報を表示させるようになっている。
【００７４】
文字列抽出部１３により画像種類情報及び病名／検査名情報（前述）がそれぞれ抽出された場合、表示制御部１５は、病名／検査名情報を各画像種類情報ごとに一覧表示する。
【００７５】
たとえば、Ｘ線画像を用いて行われる上部消化管造影検査に関する３つの読影レポートＲ１〜Ｒ３（読影結果に「胃癌」、「十二指腸癌」の記載。）と、同じくＸ線画像を用いて行われる注腸検査に関する２つの読影レポートＲ４、Ｒ５（読影結果に「大腸癌」の記載。）と、ＭＲＩ画像を用いて行われる頭部ＭＲＩアンギオ検査に関する２つの読影レポートＲ６、Ｒ７（読影結果に「脳動脈瘤」の記載。）とが検索されたとする。
【００７６】
この場合、読影レポートＲ１〜Ｒ３からは、それぞれ、画像種類情報として「Ｘ線」が抽出され、病名／検査名情報として「胃癌」、「十二指腸癌」及び「上部消化管造影検査」が抽出される。また、読影レポートＲ４、Ｒ５からは、それぞれ、画像種類情報として「Ｘ線」が抽出され、病名／検査名情報として「大腸癌」が抽出される。また、読影レポートＲ６、Ｒ７からは、それぞれ、画像種類情報として「ＭＲＩ」が抽出され、病名／検査名情報として「脳動脈瘤」及び「頭部ＭＲＩアンギオ検査」が抽出される。
【００７７】
表示制御部１５は、抽出された画像種類情報に基づいて、抽出された全ての病名／検査名情報を分類する。本例においては、画像種類情報「Ｘ線」の抽出元である読影レポートＲ１〜Ｒ５から抽出された「胃癌」、「十二指腸癌」、「上部消化管造影検査」、「大腸癌」及び「注腸検査」と、画像種類情報「ＭＲＩ」の抽出元である読影レポートＲ６、Ｒ７から抽出された「脳動脈瘤」及び「頭部ＭＲＩアンギオ検査」とに分類される。
【００７８】
そして、表示制御部１５は、この分類を反映して、抽出された文字列情報を表示させる。本例では、図５に示すように、「Ｘ線」側の５つの病名／検査名情報をひとまとめにして表示させるとともに、「ＭＲＩ」の側の２つの病名／検査名情報をひとまとめにして表示させる。なお、同図に示す表示態様では、各病名／検査名情報が抽出された読影レポートの個数（抽出個数）も表示されている。また、各画像種類情報について、抽出個数が多い病名／検査名情報から順に表示されている。
【００７９】
以上に説明した表示制御部１５による処理は、読影レポートデータベース４から読影レポート（読影結果）をその都度読み出すように構成した場合に対応する処理であるが、本発明はこれに限定されるものではない。たとえば、読影レポート検索部１２により検索された読影レポートを記憶する読影レポート記憶部（ハードディスクドライブ２３等の書込可能な記憶装置からなる。）を設け、表示制御部１５は、そこに記憶された読影レポートの読影結果を読み出して表示部１６に表示させる構成を適用することが可能である。当該構成を適用する場合、表示制御部１５はＣＰＵ２０によって構成され、通信インターフェイス２７を含んでいる必要はない。
【００８０】
［動作］
以上のような構成を有する本実施形態の医用情報参照システムの動作について、図６〜図１３を参照しつつ説明する。図６は、本実施形態の動作の一例を表すフローチャートである。また、図７〜図１３は、本実施形態による読影レポートの表示処理の具体例を説明するための図である。
【００８１】
読影レポート参照者が、患者情報入力部１１を操作して所望の患者の患者識別情報を入力すると（Ｓ１）、読影レポート検索部１２が、入力された患者識別情報を検索条件として読影レポートデータベース４から読影レポートＲを検索する（Ｓ２）。
【００８２】
読影レポートが一つも検索されなかった場合（Ｓ３；Ｎ）、表示制御部１５が、その旨を表すメッセージ（たとえば「登録されている読影レポートはありません」等のメッセージ）を表示部１６に表示させる（Ｓ１０）。以上で処理は終了となる。
【００８３】
一方、少なくとも一つの読影レポートが検索された場合（Ｓ３；Ｙ）、文字列抽出部１３の文字列判断部１３ａが、検索された各読影レポートＲの記載内容を文字列（文字列情報）に分割し、各文字列情報が医学用語記録部１３ｂに記録されているか判断するとともに、文字列抽出部１３が、医学用語記録部１３ｂに記録されていると判断された文字列情報のみを読影レポートＲから抽出する（Ｓ４）。また、文字列抽出部１３は、抽出された各文字列情報について、その抽出個数をカウントする（Ｓ５）。
【００８４】
続いて、リンク形成部１４が、文字列情報の抽出元である読影レポートＲの読影結果のディレクトリを文字列情報に埋め込んで、当該文字列情報に読影レポートＲの読影結果をリンクさせる（Ｓ６）。抽出された文字列情報は、表示制御部１５の制御により、ステップＳ５にてカウントされた抽出個数とともに表示部１６に表示される（Ｓ７）。このときの表示態様については、後述の〔具体例〕にて説明する。
【００８５】
読影レポート参照者が、操作部１７（マウス２６）を操作して、表示された文字列情報のうち所望のものをクリックすると（Ｓ８）、表示制御部１５は、クリックされた文字列情報にリンクされた読影レポートＲの読影結果を読影レポートデータベース４から取得して表示部１６に表示させる（Ｓ９）。ステップＳ２において複数の読影レポートが検索された場合、それらの読影結果は、医用画像の作成日情報（ステップＳ４にて読影レポートから抽出）に基づく順序で表示される。
【００８６】
ステップＳ９の処理は、読影レポート参照者が異なる文字列情報をクリックする度ごとに実行される。以上で本実施形態に係る医用情報参照システムによる処理は終了となる。
【００８７】
〔具体例〕
このような本実施形態に係る処理の一具体例について、図７〜図１３を参照して説明する。
【００８８】
（読影レポート検索処理；ステップＳ１、Ｓ２）
図６のステップＳ１にて患者識別情報が入力されると、読影レポート作成装置１は、その患者識別情報に対応する読影レポートを読影レポートデータベース４から検索する（ステップＳ２）。
【００８９】
図７は、検索された読影レポートの一例の概略を表す。図７（Ａ）は、上部消化管造影検査に関する読影レポートＲ１、Ｒ２、Ｒ３の概要を表し、図７（Ｂ）は、注腸検査に関する読影レポートＲ４、Ｒ５の概要を表し、図７（Ｃ）は、頭部ＭＲＩアンギオ検査に関する読影レポートＲ６、Ｒ７の概要を表している。
【００９０】
なお、これらの図の［所見］や［診断］中における「○」、「×」、「△」の列は、所見結果や診断結果のコメント中における医学用語に相当しない文字列（医学用語記録部１３ｂに記録されていない文字列。換言すれば、医学辞書ファイル２３ａに含まれていない文字列）を示すものである。
【００９１】
（文字列情報抽出処理；ステップＳ４）
読影レポート作成装置１は、図６のステップＳ４の文字列情報抽出処理を実行する。それにより、図７（Ａ）の読影レポートＲ１について、その検査情報から作成日情報「２００５／０４／０１」と画像種類情報「Ｘ線」とを抽出するとともに、読影結果（所見結果、診断結果）から病名／検査名情報「上部消化管造影」と「胃癌」とを抽出する。また、読影レポートＲ２について、その検査情報から作成日情報「２００５／０５／０１」と画像種類情報「Ｘ線」とを抽出するとともに、読影結果から病名／検査名情報「上部消化管造影」と「胃癌」とを抽出する。同様に、読影レポートＲ３について、その検査情報から作成日情報「２００５／０６／０１」と画像種類情報「Ｘ線」とを抽出するとともに、読影結果から病名／検査名情報「上部消化管造影」と「十二指腸癌」とを抽出する。
【００９２】
更に、図７（Ｂ）の読影レポートＲ４について、その検査情報から作成日情報「２００５／０４／１０」と画像種類情報「Ｘ線」とを抽出するとともに、読影結果から病名／検査名情報「注腸検査」と「大腸癌」とを抽出する。同様に、読影レポートＲ５について、その検査情報から作成日情報「２００５／０５／１０」と画像種類情報「Ｘ線」とを抽出するとともに、読影結果から病名／検査名情報「注腸検査」と「大腸癌」とを抽出する。
【００９３】
更にまた、図７（Ｃ）の読影レポートＲ６について、その検査情報から作成日情報「２００５／０５／２０」と画像種類情報「ＭＲＩ」とを抽出するとともに、読影結果から病名／検査名情報「頭部ＭＲＩアンギオ」と「脳動脈瘤」とを抽出する。同様に、読影レポートＲ７について、その検査情報から作成日情報「２００５／０６／２０」と画像種類情報「ＭＲＩ」とを抽出するとともに、読影結果から病名／検査名情報「頭部ＭＲＩアンギオ」と「脳動脈瘤」とを抽出する。
【００９４】
（抽出個数カウント処理；ステップＳ５）
次に、読影レポート作成装置１は、抽出された各文字列情報（特に病名／検査名情報）の抽出個数をカウントする。ここでは、文字列情報が抽出された読影レポートの個数をカウントする前述の第１の抽出個数カウント方法を適用する。
【００９５】
それにより、図７（Ａ）の読影レポートＲ１、Ｒ２、Ｒ３について、検査名情報「上部消化管造影」の抽出個数のカウント結果は「３」、病名情報「胃癌」の抽出個数のカウント結果は「２」、病名情報「十二指腸癌」の抽出個数のカウント結果は「１」となる。また、図７（Ｂ）の読影レポートＲ４、Ｒ５について、検査名情報「注腸検査」の抽出個数のカウント結果は「２」、病名情報「大腸癌」の抽出個数のカウント結果は「２」となる。また、図７（Ｃ）の読影レポートＲ６、Ｒ７について、検査名情報「頭部ＭＲＩアンギオ」の抽出個数のカウント結果は「２」、病名情報「脳動脈瘤」の抽出個数のカウント結果は「２」となる。
【００９６】
（リンク形成処理；ステップＳ６）
次に、読影レポート作成装置１は、抽出された文字列情報（特に病名／検査名情報）に対し、その文字列情報が抽出された読影レポートの読影結果をリンクさせる。
【００９７】
具体的には、検査名情報「上部消化管造影」に対して読影レポートＲ１、Ｒ２、Ｒ３の各読影結果がそれぞれリンクされ、病名情報「胃癌」に対して読影レポートＲ１、Ｒ２の各読影結果がそれぞれリンクされ、病名情報「十二指腸癌」に対して読影レポートＲ３の読影結果がリンクされる。また、検査名情報「注腸検査」に対して読影レポートＲ４、Ｒ５の各読影結果がそれぞれリンクされ、病名情報「大腸癌」に対して読影レポートＲ４、Ｒ５の各読影結果がそれぞれリンクされる。同様に、検査名情報「頭部ＭＲＩアンギオ」に対して読影レポートＲ６、Ｒ７の各読影結果がそれぞれリンクされ、病名情報「脳動脈瘤」に対して読影レポートＲ６、Ｒ７の各読影結果がそれぞれリンクされる。
【００９８】
（抽出結果表示処理；ステップＳ７）
続いて、読影レポート作成装置１は、文字列情報の抽出結果を表示部１６に表示させる。このとき、各文字列情報（特に病名／検査名情報）の抽出個数のカウント結果も表示させる。
【００９９】
図８は、このときの文字列情報の抽出結果の表示画面の一例の概略を表している。同図に示す文字列情報抽出結果表示画面２０００においては、抽出された表示項目（文字列情報）を、画像種類情報「Ｘ線」と「ＭＲＩ」とに分類している。更に、各画像種類情報について、抽出個数の多い順に病名／検査名情報を配列して表示している。たとえば、画像処理情報「Ｘ線」については、抽出個数３件の「上部消化管造影」を最上段に表示させ、続いて抽出個数２件の「胃癌」、「注腸検査」、「大腸癌」を表示させ、抽出個数１件の「十二指腸癌」を最下段に表示させている。
【０１００】
（読影結果表示処理；ステップＳ８、Ｓ９）
読影レポート参照者が、表示された文字列情報（病名／検査名情報）のうち閲覧を望む文字列情報をクリックすると（ステップＳ８）、読影レポート作成装置１は、その文字列情報にリンクされた読影レポートの読影結果を表示部１６に表示させる（ステップＳ９）。
【０１０１】
図９〜図１３は、このときの読影結果の表示画面の一例の概略を表している。図９は、図８の文字列情報抽出結果表示画面２０００の文字列情報「上部消化管造影」がクリックされたときの読影結果表示画面２１００を表す。図１０は、文字列情報「胃癌」がクリックされたときの読影結果表示画面２２００を表す。図１１は、文字列情報「注腸検査」又は「大腸癌」がクリックされたときの読影結果表示画面２３００を表す。図１２は、文字列情報「十二指腸癌」がクリックされたときの読影結果表示画面２４００を表す。図１３は、文字列情報「頭部ＭＲＩアンギオ」又は「脳動脈瘤」がクリックされたときの読影結果表示画面２５００を表す。
【０１０２】
文字列情報抽出結果表示画面２０００の文字列情報「上部消化管造影」がクリックされると、読影レポート作成装置１は、当該文字列情報にリンクされた読影レポートＲ１、Ｒ２、Ｒ３の読影結果、すなわち図４の所見表示部１０２０及び診断表示部１０３０の記載内容に相当するデータ（及び検査情報表示部１０１０の記載内容に相当するデータ）を、読影レポートデータベース４から取得し、表示部１６に表示させる。このとき、読影レポートＲ１、Ｒ２、Ｒ３の読影結果（及び検査情報）Ｒ１′、Ｒ２′、Ｒ３′は、図９に示すように、ステップＳ４にて抽出した読影レポートＲ１、Ｒ２、Ｒ３の作成日情報を参照して、医用画像の作成日（検査実施日）の新しいものから順に、つまり読影結果Ｒ３′、Ｒ２′、Ｒ１′の順に一画面上に配列表示される。
【０１０３】
また、文字列情報抽出結果表示画面２０００の文字列情報「胃癌」がクリックされると、読影レポート作成装置１は、当該文字列情報にリンクされた読影レポートＲ１、Ｒ２の読影結果（及び検査情報）Ｒ１′、Ｒ２′を読影レポートデータベース４から取得し、図１０に示すように、作成日の新しいものから順に、すなわち読影結果Ｒ２′、Ｒ１′の順に表示部１６に表示させる。
【０１０４】
また、文字列情報抽出結果表示画面２０００の文字列情報「注腸検査」又は「大腸癌」がクリックされると、読影レポート作成装置１は、その文字列情報にリンクされた読影レポートＲ４、Ｒ５の読影結果（及び検査情報）Ｒ４′、Ｒ５′を読影レポートデータベース４から取得し、図１１に示すように、作成日の新しいものから順に、すなわち読影結果Ｒ５′、Ｒ４′の順に表示部１６に表示させる。
【０１０５】
また、文字列情報抽出結果表示画面２０００の文字列情報「十二指腸癌」がクリックされると、読影レポート作成装置１は、当該文字列情報にリンクされた読影レポートＲ３の読影結果（及び検査情報）Ｒ３′を読影レポートデータベース４から取得して表示部１６に表示させる（図１２参照）。
【０１０６】
また、文字列情報抽出結果表示画面２０００の文字列情報「頭部ＭＲＩアンギオ」又は「脳動脈瘤」がクリックされると、読影レポート作成装置１は、その文字列情報にリンクされた読影レポートＲ６、Ｒ７の読影結果（及び検査情報）Ｒ６′、Ｒ７′を読影レポートデータベース４から取得し、図１３に示すように、作成日の新しいものから順に、すなわち読影結果Ｒ７′、Ｒ６′の順に表示部１６に表示させる。
【０１０７】
［医用情報参照プログラムについて］
以上に説明した本実施形態による処理は、読影レポート作成装置１のマイクロプロセッサ（ＣＰＵ２０）が、ハードディスクドライブ２３に記憶された医用情報プログラム２３ｂに基づいて実行する。この医用情報参照プログラム２３ｂは、本発明の「医用情報参照プログラム」の一例に相当するものである。
【０１０８】
このような医用情報参照プログラム２３ｂを、任意の記憶媒体（メディア）に、コンピュータ読み取り可能に記憶させることができる。その記憶媒体としては、フロッピー（登録商標）ディスク、ＣＤ−ＲＯＭ、ＣＤ−Ｒ（Ｗ）、ＤＶＤ−ＲＯＭ、ＤＶＤ−Ｒ（Ｗ）、ＤＶＤ−ＲＡＭ、ＭＯ、各種メモリカードなど、電気的方法、磁気的方法、光学的方法等の任意の物理的方法によってデータを記憶可能に構成されたものを使用することができる。
【０１０９】
また、この医用情報参照プログラム２３ｂをＬＡＮＬやインターネット等のネットワーク上のサーバや記憶装置に格納しておき、読影レポート作成装置１や読影レポート表示装置３からネットワーク経由で利用できるように構成することも可能である。
【０１１０】
［作用・効果］
以上のような本実施形態が奏する作用及び効果について説明する。
【０１１１】
まず、本実施形態によれば、読影レポート参照者が患者識別情報を入力すると、その患者識別情報により識別される患者の読影レポートが読影レポートデータベース４から検索され、検索された各読影レポートから医学辞書ファイル２３ａに含まれる文字列情報が抽出される。そして、抽出された各文字列情報に対し、その抽出元の読影レポートの読影結果が関連付けられるとともに、抽出された文字列情報が文字列情報抽出結果表示画面２０００として表示される。更に、この文字列情報抽出結果表示画面２０００に表示された文字列情報を参照者がクリックすると、その文字列情報に関連付けられた読影レポートの読影結果が読影結果表示画面２１００〜２５００として表示される。
【０１１２】
それにより、文字列情報抽出結果表示画面２０００の表示内容を参照することにより、過去の読影レポートをそれぞれ表示させて記載内容を確認しなくても、読影結果の概要を把握することができる。したがって、過去の読影レポートの参照作業を効率的に行うことが可能となる。
【０１１３】
たとえば、図８の文字列情報抽出結果表示画面２０００を参照すると、まず、Ｘ線診断装置を用いた上部消化管造影検査を過去に３回実施したことが分かる。また、過去の読影レポートにおいて、「胃癌」について２度言及があり、「十二指腸癌」について１度言及があったことも分かる。読影医は、これらの表示内容から、上部消化管造影検査を用いて胃癌について２回、十二指腸癌について１回の検査がそれぞれ実施されたことを容易に把握できる。このように過去の読影結果の概要を容易に把握できることで、今回の読影作業において注目すべきポイントを容易に把握することが可能となる。
【０１１４】
また、本実施形態によれば、複数の異なる文字列情報が抽出された場合に、図８に示すように抽出個数の多い順にそれら文字列情報が表示されるので、参照者は、過去の読影において、どのような検査が多く実施されたか、更に、どのような疾患に多く注目が向けられたかを容易に把握できる。それにより、過去の読影レポートの参照作業が効率化されるとともに、今回の読影作業における注目ポイントを容易に把握することが可能となる。
【０１１５】
それに加え、各文字列情報の抽出個数についても表示されるようになっているので、各文字列情報（疾患や検査）に関する言及の頻度を容易に認識でき、各文字列情報に対する過去の注目の度合を容易に把握できる。
【０１１６】
また、本実施形態によれば、図８に示すように、抽出された病名／検査名情報を各画像種類情報ごとに一覧表示するようになっている。更に、その一覧表示された病名／検査名情報のうち所望のものがクリックされると、その病名／検査名情報に関連付けられた（リンクされた）読影レポートの読影結果が表示される。それにより、所望の病名／検査名情報に関連する読影結果を簡単な操作で選択的に表示させることができるので、読影レポートの参照作業を効率的に行うことができる。
【０１１７】
更に、クリックされた病名／検査名情報が複数の読影レポートの読影結果にそれぞれリンクされている場合、それらの読影結果が一画面中に配列表示されるようになっているので、当該病名／検査名情報に関する記載が含まれる複数の読影結果を一度に参照することが可能となる。それにより、複数の読影レポートの間の関連性を容易に把握でき、ひいては、所望の病名／検査名情報に関連する過去の読影結果の総合的な把握を容易に行うことが可能となる。
【０１１８】
なお、本実施形態においては、読影結果とともに検査情報（作成日情報や画像種類情報）を表示させている。参照者は、作成日情報を参照することにより、その検査がいつ行われたか、どのような時間間隔で行われたかなどを確認できるので、今回の検査時における病状の変化の度合などを推測することができる。また、画像種類情報を参照することで、過去の検査がどの医用画像診断装置１００を用いて実施されたか確認できる。それにより、たとえば２種類以上の医用画像診断装置を用いて実施可能な検査において、過去の複数の読影結果を比較する際に、医用画像の特性（たとえば検査精度など）を勘案できることから、読影結果の比較の正確性が向上される。また、今回の医用画像の読影を行う際に、過去の読影結果をどのように参酌すべきかの判断が容易になる。
【０１１９】
また、本実施形態によれば、検索された各読影レポートから作成日情報を抽出するとともに、文字列情報抽出結果表示画面２０００にてクリックされた病名／検査名情報に対して複数の読影レポートの読影結果が関連付けられている場合には、抽出された作成日情報に基づく順序で複数の読影結果を表示させるようになっている。ところで、今回の読影において最も重要視すべき過去の読影結果は、一般に前回の読影結果である。そこで、図９等に示した例では、作成日の新しいものから順に表示させるようになっている。
【０１２０】
なお、最初の読影結果から順に閲覧したい場合などには、作成日の古いものから順に表示させることができる。
【０１２１】
また、本実施形態によれば、医学用語（医学辞書ファイル）をあらかじめ記録しておくとともに、検索された読影レポートに含まれる文字列のうち、記録された医学用語に相当するものを抽出するように構成されているので、読影レポート中から医学用語を精度良くかつ効率的に抽出することができる。
【０１２２】
［変形例］
以上に詳述した実施形態は、本発明を好適に実施するための一構成例に過ぎないものである。したがって、たとえば以下の変形例に説明するように、本発明の要旨の範囲内における各種の変形を適宜に施すことが可能である。
【０１２３】
（変形例１）
上記実施形態は、抽出された全ての文字列情報を文字列情報抽出結果表示画面２０００（図８参照）に表示させるように構成されているが、その必要はない。
【０１２４】
たとえば、表示させる文字列情報の個数をあらかじめ設定できるようにし、抽出個数の多い順に当該設定個数の文字列情報のみを選択表示させる構成を適用することが可能である。それにより、過去の読影結果において言及頻度の多い文字列情報のみが表示されることとなり、過去の読影結果の概要を効率的に把握できる。なお、表示個数の設定は、たとえばユーザインターフェイスＵＩを用いて行う。
【０１２５】
また、表示させる文字列情報の抽出個数の下限値を設定可能にし、その下限値以上の抽出個数の文字列情報のみを選択的に表示させるように構成することもできる。
【０１２６】
（変形例２）
上記実施形態では、検索された読影レポートに含まれる文字列のうち、医学辞書ファイル２３ａに含まれる医学用語に相当するものを全て抽出するようになっているが、本発明はこれに限定されるものではない。
【０１２７】
たとえば、抽出する文字列情報（医学用語）を事前に指定できるようにし、抽出手段は、その指定された文字列のみを選択的に抽出するように構成することが可能である。当該抽出処理は、検索された読影レポート中から、指定された文字列情報を検索する処理に相当する。なお、抽出する文字列情報の指定は、たとえばユーザインターフェイスＵＩを用いて行う。それにより、今回の読影において注目すべきポイントが分かっている場合などに、その注目ポイントに関する読影結果をのみを選択的に表示させて参照することができ、参照作業の効率化を図ることが可能となる。
【０１２８】
このように、読影レポートから抽出する文字列情報を事前指定可能な構成を採用する場合、いわゆるＡＮＤ検索やＯＲ検索ができるようにすることが望ましい。たとえば、特定の病名と検査名とを「ＡＮＤ」で結んで指定すれば、その特定の疾患を発見するために特定の検査が行われたときの読影結果のみを選択的に表示させることができる。また、特定の第１の検査と第２の検査とを「ＯＲ」で結んで指定すれば、それらのうちの少なくとも一方の検査に関する読影結果のみを選択的に表示させることができる。このような、文字列抽出処理によれば、目的の内容が記載された過去の読影結果を、より精度良く、より効率的に表示させることができる。
【０１２９】
（変形例３）
上記実施形態では、画像種類情報を第１の分類基準として、抽出された文字列情報を配列表示しているが（図８参照）、本発明はこれに限定されるものではない。
【０１３０】
たとえば、病名情報や検査名情報を第１の分類基準として、抽出された文字列情報を分類して表示するように構成することが可能である。また、抽出された文字列情報を分類せずにそのまま一覧表示するようにしてもよい。
【図面の簡単な説明】
【０１３１】
【図１】本発明に係る医用情報参照システムの実施形態の全体構成の一例を表すブロック図である。
【図２】本発明に係る医用情報参照システムの実施形態における読影レポート作成装置の機能的構成の一例を表すブロック図である。
【図３】本発明に係る医用情報参照システムの実施形態における読影レポート作成装置のハードウェア構成の一例を表すブロック図である。
【図４】本発明に係る医用情報参照システムの実施形態により表示される読影レポート参照画面の表示態様の一例を表す概略図である。
【図５】本発明に係る医用情報参照システムの実施形態により表示される文字列情報抽出結果表示画面の表示態様の一例を表す概略図である。
【図６】本発明に係る医用情報参照システムの実施形態の動作の一例を表すフローチャートである。
【図７】本発明に係る医用情報参照システムの実施形態により検索される読影レポートの一例を表す概略図である。図７（Ａ）は、上部消化管造影検査に関する読影レポートの概要を表し、図７（Ｂ）は、注腸検査に関する読影レポートの概要を表し、図７（Ｃ）は、頭部ＭＲＩアンギオ検査に関する読影レポートの概要を表している。
【図８】本発明に係る医用情報参照システムの実施形態により表示される文字列情報抽出結果表示画面の表示態様の一例を表す概略図である。
【図９】本発明に係る医用情報参照システムの実施形態により表示される読影結果表示画面の一例を表す概略図である。
【図１０】本発明に係る医用情報参照システムの実施形態により表示される読影結果表示画面の一例を表す概略図である。
【図１１】本発明に係る医用情報参照システムの実施形態により表示される読影結果表示画面の一例を表す概略図である。
【図１２】本発明に係る医用情報参照システムの実施形態により表示される読影結果表示画面の一例を表す概略図である。
【図１３】本発明に係る医用情報参照システムの実施形態により表示される読影結果表示画面の一例を表す概略図である。
【符号の説明】
【０１３２】
１  読影レポート作成装置
１１  患者情報入力部
１２  読影レポート検索部
１３  文字列抽出部
１３ａ  文字列判断部
１３ｂ  医学用語記録部
１４  リンク形成部
１５  表示制御部
１６  表示部
１７  操作部
２０  ＣＰＵ
２１  ＲＡＭ
２２  ＲＯＭ
２３  ハードディスクドライブ
２３ａ  医学辞書ファイル
２３ｂ  医用情報参照プログラム
２４  ディスプレイ
２５  キーボード
２６  マウス
２７  通信インターフェイス
２  医用画像ビューア装置
３  読影レポート表示装置
４  読影レポートデータベース
１００  医用画像診断装置
１１０  医用画像データベース
１０００  読影レポート参照画面
１０１０  検査情報表示部
１０２０  所見表示部
１０３０  診断表示部
１０４０  画像表示部
２０００  文字列情報抽出結果表示画面
２１００、２２００、２３００、２４００、２５００  読影結果表示画面
Ｌ  ＬＡＮ
Ｒ、Ｒ１、Ｒ２、Ｒ３、Ｒ４、Ｒ５、Ｒ６、Ｒ７  読影レポート
Ｒ１′、Ｒ２′、Ｒ３′、Ｒ４′、Ｒ５′、Ｒ６′、Ｒ７′  読影結果
【図１】
0004805638.tif 000002
【図２】
0004805638.tif 000003
【図３】
0004805638.tif 000004
【図４】
0004805638.tif 000005
【図５】
0004805638.tif 000006
【図６】
0004805638.tif 000007
【図７】
0004805638.tif 000008
【図８】
0004805638.tif 000009
【図９】
0004805638.tif 000010
【図１０】
0004805638.tif 000011
【図１１】
0004805638.tif 000012
【図１２】
0004805638.tif 000013
【図１３】
0004805638.tif 000014